(57)【特許請求の範囲】
【請求項１】
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の照射領域が前記集光光学系の光軸を通過する際に前記励起光光源を点灯させ、前記第一半径と直線状になる第四半径、前記第二半径及び前記第三半径を周方向に沿って跨ぎ、前記第一半径を跨がない円弧状の非照射領域が前記集光光学系の光軸を通過する際に前記励起光光源を消灯させることを特徴とする点滅光発生装置。
【請求項２】
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の第一照射領域が前記集光光学系の光軸を通過する際と、前記第一半径と直線状になる第四半径を周方向に沿って跨ぎ前記第二半径及び前記第三半径を跨がない円弧状の第二照射領域が前記集光光学系の光軸を通過する際に前記励起光光源を点灯させ、前記第二半径を周方向に跨ぎ前記第一半径及び第四半径を跨がない円弧状の第一非照射領域が前記集光光学系の光軸を通過する際と、前記第三半径を周方向に跨ぎ前記第一半径及び第四半径を跨がない円弧状の第二非照射領域が前記集光光学系の光軸を通過する際に前記励起光光源を消灯させることを特徴とする点滅光発生装置。
【請求項３】
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の照射領域が前記集光光学系の光軸を通過する際に前記励起光光源を点灯させ、前記第一半径及び前記第二半径を周方向に跨ぎ、前記第三半径を跨がない円弧状の非照射領域が前記集光光学系の光軸を通過する際に前記励起光光源を消灯させることを特徴とする点滅光発生装置。
【請求項４】
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の第一照射領域が前記集光光学系の光軸を通過する際と、前記第三半径と直線状になる第四半径を周方向に跨ぎ前記第一半径及び前記第二半径を跨がない円弧状の第二照射領域が前記集光光学系の光軸を通過する際に前記励起光光源を点灯させ、前記第一半径を周方向に跨ぎ前記第三半径及び前記第四半径を跨がない円弧状の第一非照射領域が前記集光光学系の光軸を通過する際と、前記第二半径を周方向に跨ぎ前記第三半径及び前記第四半径を跨がない円弧状の第二非照射領域が前記集光光学系の光軸を通過する際に前記励起光光源を消灯させることを特徴とする点滅光発生装置。
【請求項５】
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の照射領域が前記集光光学系の光軸を通過する際に前記励起光光源を点灯させ、前記第一半径と直線状になる第四半径、前記第二半径及び前記第三半径を周方向に沿って跨ぎ、前記第一半径を跨がない円弧状の非照射領域が前記集光光学系の光軸を通過する際に前記励起光光源を消灯させることを特徴とする点滅光発生装置。
【請求項６】
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の第一照射領域が前記集光光学系の光軸を通過する際と、前記第一半径と直線状になる第四半径を周方向に沿って跨ぎ前記第二半径及び前記第三半径を跨がない円弧状の第二照射領域が前記集光光学系の光軸を通過する際に前記励起光光源を点灯させ、前記第二半径を周方向に跨ぎ前記第一半径及び第四半径を跨がない円弧状の第一非照射領域が前記集光光学系の光軸を通過する際と、前記第三半径を周方向に跨ぎ前記第一半径及び第四半径を跨がない円弧状の第二非照射領域が前記集光光学系の光軸を通過する際に前記励起光光源を消灯させることを特徴とする点滅光発生装置。
【請求項７】
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の照射領域が前記集光光学系の光軸を通過する際に前記励起光光源を点灯させ、前記第一半径及び前記第二半径を周方向に跨ぎ、前記第三半径を跨がない円弧状の非照射領域が前記集光光学系の光軸を通過する際に前記励起光光源を消灯させることを特徴とする点滅光発生装置。
【請求項８】
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の第一照射領域が前記集光光学系の光軸を通過する際と、前記第三半径と直線状になる第四半径を周方向に跨ぎ前記第一半径及び前記第二半径を跨がない円弧状の第二照射領域が前記集光光学系の光軸を通過する際に前記励起光光源を点灯させ、前記第一半径を周方向に跨ぎ前記第三半径及び前記第四半径を跨がない円弧状の第一非照射領域が前記集光光学系の光軸を通過する際と、前記第二半径を周方向に跨ぎ前記第三半径及び前記第四半径を跨がない円弧状の第二非照射領域が前記集光光学系の光軸を通過する際に前記励起光光源を消灯させることを特徴とする点滅光発生装置。
【請求項９】
請求項１から８の何れか一項に記載の点滅光発生装置と、
前記蛍光体層から発する蛍光の色と異なる色の光を発する第一光源と、
前記蛍光体層から発する蛍光の色及び前記第一光源の発光色と異なる色の光を発する第二光源と、
前記蛍光体層から発した蛍光の光軸と、前記第一光源から発した光の光軸と、前記第二光源から発した光の光軸とを重ねて、これらの光を出射させる光学系と、を備え、
前記光源制御部が、前記励起光光源、前記第一光源及び前記第二光源を時分割で順次点灯させることを特徴とする時分割光発生装置。
【請求項１０】
請求項９に記載の時分割光発生装置と、
前記光学系から出射された光を各画素毎に変調することで、画像を形成する表示素子と、
前記表示素子によって形成された画像を投影する投影光学系と、を備えることを特徴とするプロジェクタ。
【発明の詳細な説明】
【技術分野】
【０００１】
本発明は、点滅光発生装置、時分割光発生装置及びプロジェクタに関する。
【背景技術】
【０００２】
プロジェクタは、光源から発した光をデジタル・マイクロミラー・デバイス等の反射型表示素子又は液晶シャッターアレイパネル等の透過型表示素子に照射し、表示素子によって形成された画像を投影レンズによってスクリーンに投影するものである。従来、高輝度の放電ランプを光源として利用するプロジェクタが主流であった。しかし、近年、発光ダイオード、レーザーダイオード、有機エレクトロルミネッセンス素子等といった発光素子を光源として利用し、必要に応じて光源から発した光の色を変換する蛍光体を利用するプロジェクタの開発が多々なされている。例えば、特開２００４−３４１１０５号公報（特許文献１）には、発光ダイオード及び蛍光体ホイールを利用したプロジェクタが開示されている。この発光ダイオードは励起光として紫外光を発するものであり、発光ダイオードから発した励起光が、回転する蛍光体ホイールの赤色蛍光体層、緑色蛍光体層及び青色蛍光体層に順次繰り返し照射される。そうすると、赤色蛍光体層、緑色蛍光体層及び青色蛍光体層が順次繰り返し励起されるから、赤色光、緑色光及び青色光が蛍光体ホイールから順次繰り返し出射される。
【先行技術文献】
【特許文献】
【０００３】
【特許文献１】特開２００４−３４１１０６号公報
【発明の概要】
【発明が解決しようとする課題】
【０００４】
一方、単一の発光ダイオードを用いるのではなく、赤色発光ダイオード、緑色発光ダイオード及び青色発光ダイオードを用いて、これらの発光ダイオードを時分割で順次点灯させ、赤色光、緑色光及び青色光の光軸をダイクロイックミラー等の光学系で１つに重ねる技術も提案されている。何れかの色の発光ダイオードが他の色の発光ダイオードよりも発光強度が弱いのであれば、その色の発光には蛍光体を用いることもあり、発光ダイオードから発した励起光を集光レンズ等によって蛍光体に照射することで、その色の光を蛍光体から発生させる。ところが、励起光を蛍光体に局所的に照射すると、蛍光体が劣化しやすく、蛍光体が低寿命になってしまう。そこで、回転するホイール板に蛍光体を形成することで、励起光が蛍光体の一部に局所的に照射されることを防止し、蛍光体の長寿命化を図る。
【０００５】
ホイール板は、コイル状に巻き取られた圧延板を加工して得られたものである。そのため、ホイール板は、僅かながら、円柱面状に湾曲している。湾曲したホイール板が回転することで、集光レンズの光軸と蛍光体との交点から集光レンズまでの距離が変動する。そうすると、蛍光体に照射される励起光のスポット径が照射位置によってばらつき、均一な蛍光が発生しない。
【０００６】
そこで、本発明が解決しようとする課題は、湾曲したホイール板に形成された蛍光体に励起光を照射する場合に、励起光の照射位置がホイール板の回転によって変わっても、蛍光体から発する蛍光を均一にすることである。
【課題を解決するための手段】
【０００７】
以上の課題を解決するために、本発明に係る点滅光発生装置は、回転駆動器と、前記回転駆動器によって回転させられ、シリンドリカル状に湾曲し、両面のうち一方の面がシリンドリカル凸面状に形成され、他方の面がシリンドリカル凹面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の照射領域が前記集光光学系の光軸を通過する際に前記励起光光源を点灯させ、前記第一半径と直線状になる第四半径、前記第二半径及び前記第三半径を周方向に沿って跨ぎ、前記第一半径を跨がない円弧状の非照射領域が前記集光光学系の光軸を通過する際に前記励起光光源を消灯させる。
【０００８】
本発明に係る点滅光発生装置は、回転駆動器と、前記回転駆動器によって回転させられ、シリンドリカル状に湾曲し、両面のうち一方の面がシリンドリカル凸面状に形成され、他方の面がシリンドリカル凹面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の第一照射領域が前記集光光学系の光軸を通過する際と、前記第一半径と直線状になる第四半径を周方向に沿って跨ぎ前記第二半径及び前記第三半径を跨がない円弧状の第二照射領域が前記集光光学系の光軸を通過する際に前記励起光光源を点灯させ、前記第二半径を周方向に跨ぎ前記第一半径及び第四半径を跨がない円弧状の第一非照射領域が前記集光光学系の光軸を通過する際と、前記第三半径を周方向に跨ぎ前記第一半径及び第四半径を跨がない円弧状の第二非照射領域が前記集光光学系の光軸を通過する際に前記励起光光源を消灯させる。
【０００９】
本発明に係る点滅光発生装置は、回転駆動器と、前記回転駆動器によって回転させられ、シリンドリカル状に湾曲し、両面のうち一方の面がシリンドリカル凸面状に形成され、他方の面がシリンドリカル凹面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の照射領域が前記集光光学系の光軸を通過する際に前記励起光光源を点灯させ、前記第一半径及び前記第二半径を周方向に跨ぎ、前記第三半径を跨がない円弧状の非照射領域が前記集光光学系の光軸を通過する際に前記励起光光源を消灯させる。
【００１０】
本発明に係る点滅光発生装置は、回転駆動器と、前記回転駆動器によって回転させられ、シリンドリカル状に湾曲し、両面のうち一方の面がシリンドリカル凸面状に形成され、他方の面がシリンドリカル凹面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の第一照射領域が前記集光光学系の光軸を通過する際と、前記第三半径と直線状になる第四半径を周方向に跨ぎ前記第一半径及び前記第二半径を跨がない円弧状の第二照射領域が前記集光光学系の光軸を通過する際に前記励起光光源を点灯させ、前記第一半径を周方向に跨ぎ前記第三半径及び前記第四半径を跨がない円弧状の第一非照射領域が前記集光光学系の光軸を通過する際と、前記第二半径を周方向に跨ぎ前記第三半径及び前記第四半径を跨がない円弧状の第二非照射領域が前記集光光学系の光軸を通過する際に前記励起光光源を消灯させる。
【００１１】
本発明に係る点滅光発生装置は、回転駆動器と、前記回転駆動器によって回転させられ、シリンドリカル状に湾曲し、両面のうち一方の面がシリンドリカル凹面状に形成され、他方の面がシリンドリカル凸面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の照射領域が前記集光光学系の光軸を通過する際に前記励起光光源を点灯させ、前記第一半径と直線状になる第四半径、前記第二半径及び前記第三半径を周方向に沿って跨ぎ、前記第一半径を跨がない円弧状の非照射領域が前記集光光学系の光軸を通過する際に前記励起光光源を消灯させる。
【００１２】
本発明に係る点滅光発生装置は、回転駆動器と、前記回転駆動器によって回転させられ、シリンドリカル状に湾曲し、両面のうち一方の面がシリンドリカル凹面状に形成され、他方の面がシリンドリカル凸面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の第一照射領域が前記集光光学系の光軸を通過する際と、前記第一半径と直線状になる第四半径を周方向に沿って跨ぎ前記第二半径及び前記第三半径を跨がない円弧状の第二照射領域が前記集光光学系の光軸を通過する際に前記励起光光源を点灯させ、前記第二半径を周方向に跨ぎ前記第一半径及び第四半径を跨がない円弧状の第一非照射領域が前記集光光学系の光軸を通過する際と、前記第三半径を周方向に跨ぎ前記第一半径及び第四半径を跨がない円弧状の第二非照射領域が前記集光光学系の光軸を通過する際に前記励起光光源を消灯させる。
【００１３】
本発明に係る点滅光発生装置は、回転駆動器と、前記回転駆動器によって回転させられ、シリンドリカル状に湾曲し、両面のうち一方の面がシリンドリカル凹面状に形成され、他方の面がシリンドリカル凸面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の照射領域が前記集光光学系の光軸を通過する際に前記励起光光源を点灯させ、前記第一半径及び前記第二半径を周方向に跨ぎ、前記第三半径を跨がない円弧状の非照射領域が前記集光光学系の光軸を通過する際に前記励起光光源を消灯させる。
【００１４】
本発明に係る点滅光発生装置は、回転駆動器と、前記回転駆動器によって回転させられ、シリンドリカル状に湾曲し、両面のうち一方の面がシリンドリカル凹面状に形成され、他方の面がシリンドリカル凸面状に形成されたホイール板と、前記ホイール板の前記一方の面に形成された蛍光体層と、励起光を発する励起光光源と、前記励起光光源から発した励起光を前記蛍光体層に集光させる集光光学系と、前記ホイール板の回転位相を検出する位相検出部と、前記位相検出部によって検出された回転位相に基づいて前記励起光光源を点滅させる光源制御部と、を備え、前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の第一照射領域が前記集光光学系の光軸を通過する際と、前記第三半径と直線状になる第四半径を周方向に跨ぎ前記第一半径及び前記第二半径を跨がない円弧状の第二照射領域が前記集光光学系の光軸を通過する際に前記励起光光源を点灯させ、前記第一半径を周方向に跨ぎ前記第三半径及び前記第四半径を跨がない円弧状の第一非照射領域が前記集光光学系の光軸を通過する際と、前記第二半径を周方向に跨ぎ前記第三半径及び前記第四半径を跨がない円弧状の第二非照射領域が前記集光光学系の光軸を通過する際に前記励起光光源を消灯させる。
【発明の効果】
【００１５】
本発明によれば、湾曲したホイール板が回転していても、照射領域では、集光光学系の光軸と蛍光体層との交点から集光光学系までの距離の変動幅が小さいので、蛍光体に照射される励起光のスポット径の変動幅も小さい。よって、励起光の照射位置がホイール板の回転によって変わっても、蛍光体層から均一な蛍光が発する。
【図面の簡単な説明】
【００１６】
【図１】本発明の第１の実施形態に係る点滅光発生装置の蛍光体ホイールを示した平面図である。
【図２】図１に記載のII−IIに沿った部分断面とともに、点滅光発生装置を示した概略図である。
【図３】図１に記載のIII−IIIに沿った面を矢印方向に見て示した部分断面図である。
【図４】本発明の第１の実施形態に係る点滅光発生装置の蛍光体ホイールを示した平面図である。
【図５】本発明の第２の実施形態に係る点滅光発生装置の蛍光体ホイールを示した平面図である。
【図６】本発明の第２の実施形態に係る点滅光発生装置の蛍光体ホイールを示した平面図である。
【図７】本発明の第３の実施形態に係る点滅光発生装置の蛍光体ホイール及び回転駆動器を示した部分断面図である。
【図８】同実施形態に係る点滅光発生装置の蛍光体ホイールを示した平面図である。
【図９】同実施形態に係る点滅光発生装置の蛍光体ホイールを示した平面図である。
【図１０】本発明の第４の実施形態に係る点滅光発生装置の蛍光体ホイールを示した平面図である。
【図１１】本発明の第４の実施形態に係る点滅光発生装置の蛍光体ホイールを示した平面図である。
【図１２】本発明の第５の実施形態に係るプロジェクタの光学ユニットを示した平面図である。
【図１３】同実施形態に係るプロジェクタを示したブロック図である。
【発明を実施するための形態】
【００１７】
以下に、本発明を実施するための形態について、図面を用いて説明する。但し、以下に述べる実施形態には、本発明を実施するために技術的に好ましい種々の限定が付されているが、本発明の範囲を以下の実施形態及び図示例に限定するものではない。
【００１８】
〔第１の実施の形態〕
図１は、蛍光体ホイール２の平面図である。図２は、図１に記載のII−IIに沿った面を矢印方向に見て示した蛍光体ホイール２の断面とともに、点滅光発生装置１を示した概略図である。図３は、図１に記載のIII−IIIに沿った面を矢印方向に見て示した断面図である。
【００１９】
この点滅光発生装置１は、蛍光体ホイール２と、この蛍光体ホイール２を回転させるスピンドルモーター６と、スピンドルモーター６を駆動するモータードライバー１２と、励起光を発する励起光光源８と、励起光光源８を蛍光体ホイール２に集光する集光光学系９と、励起光光源８を点滅させる光源制御部１０と、蛍光体ホイール２の回転位相を検出する位相センサー１１と、を備える。蛍光体ホイール２はホイール板３、蛍光体層４及びタイミングマーク５を有する。
【００２０】
ホイール板３は、円板であり、より具体的には銅板、アルミニウム板、ステンレス板その他の金属板である。ホイール板３の一方の面３ａが鏡面研磨加工、銀蒸着加工その他の鏡面加工されており、ホイール板３の一方の面３ａに反射面が形成されている。従って、ホイール板３は、反射板である。
【００２１】
スピンドルモーター６は回転駆動器である。スピンドルモーター６の駆動軸７がホイール板３に対して直交するようにホイール板３に取り付けられている。具体的には、取付孔３ｃがホイール板３の中心部を一方の面３ａから他方の面３ｂに貫通し、スピンドルモーター６の駆動軸７が取付孔３ｃに挿入されて、その駆動軸７がホイール板３に固定されている。以下、軸方向とは、駆動軸７が延びる方向をいい、周方向とは、駆動軸７を中心とした円周方向をいい、径方向とは、駆動軸７に対して直交する方向をいう。
【００２２】
ホイール板３の一方の面３ａには、蛍光体層４が形成されている。軸方向に見て、蛍光体層４は、駆動軸７を中心にして周方向に延びるように円環状に形成されている。なお、蛍光体層４が円環状に形成されているのではなく、蛍光体層４がホイール板３の一方の面３ａの全体に形成されていてもよいし、駆動軸７を中心として中心角１２０°以上の扇形状に形作られてもよいし、駆動軸７を中心として中心角１２０°以上の円弧帯状に形作られてもよい。ホイール板３の重心が駆動軸７に重なるように、蛍光体層４が円環状に形成されているか、ホイール板３の一方の面３ａの全体に形成されていることが好ましい。
【００２３】
ホイール板３の一方の面３ａにリング状の凹部が凹設され、その凹部内に蛍光体層４が埋められていてもよい。なお、凹部が形成されている場合でも、その凹部が鏡面加工されている。
【００２４】
このホイール板３は、圧延板を打ち抜き加工して得られたものである。打ち抜き加工前の圧延板はコイル状に巻き取られているので、ホイール板３がシリンドリカル状に湾曲している。そのため、ホイール板３の一方の面３ａがシリンドリカル凸面状に形成され、他方の面３ｂがシリンドリカル凹面状に形成されている。
【００２５】
ホイール板３の一方の面３ａがシリンドリカル状凸面であるから、図１に示すように、ホイール板３の一方の面３ａには、その面３ａの母線方向（稜線方向）に沿った第一半径３ｄ１がある。また、ホイール板３の一方の面３ａには、第一半径３ｄ１に直交する第二半径３ｄ２及び第三半径３ｄ３がある。第二半径３ｄ２と第三半径３ｄ３は一直線状になっており、第二半径３ｄ２と第三半径３ｄ３によって直径を成している。ホイール板３の一方の面３ａには、その面３ａの母線方向（稜線方向）に沿った第四半径３ｄ４がある。第一半径３ｄ１と第四半径３ｄ４は一直線状になっており、第一半径３ｄ１と第四半径３ｄ４によって直径を成している。また、蛍光体層４のうち、第一半径３ｄ１を周方向に沿って跨ぐとともに第二半径３ｄ２、第三半径３ｄ３及び第四半径３ｄ４を跨がない円弧状領域４ａを照射領域４ａといい、第二半径３ｄ２、第三半径３ｄ３及び第四半径３ｄ４を周方向に沿って跨ぐとともに第一半径３ｄ１を跨がない円弧状領域４ｂを非照射領域４ｂという。照射領域４ａは、第一半径３ｄ１を中心として周方向に円弧状に広がった領域であり、非照射領域４ｂは、第四半径３ｄ４を中心として周方向に円弧状に広がった領域であり、照射領域４ａと非照射領域４ｂの組み合わせが円環状の領域となる。照射領域４ａの中心角は０°を超え、１８０°未満であり、非照射領域４ｂの中心角は１８０°を超え３６０°未満であり、これらの和は３６０°である。例えば、照射領域４ａの中心角が１２０°であり、非照射領域４ｂの中心角は２４０°である。
【００２６】
蛍光体ホイール２及びスピンドルモーター６の周辺には、励起光光源８が配設されている。励起光光源８は、発光ダイオード又はレーザーダイオードアレイである。レーザーダイオードアレイとは、複数のレーザーダイオードを二次元アレイ状に配列したものである。
【００２７】
励起光光源８は励起光を発するものである。励起光光源８から発する励起光の波長帯域は特に限定するものではないが、励起光が単色の可視光であることが好ましい。例えば、励起光光源８から発する励起光は青色の波長帯域の光である。なお、励起光光源８から発する励起光が紫外光であってもよい。
【００２８】
励起光光源８とホイール板３の一方の面３ａとの間には、集光光学系９が配設されている。集光光学系９は一又は複数枚のレンズからなる。なお、集光光学系９が反射ミラーを有し、集光光学系９の光軸が反射ミラーによって曲げられてもよい。
【００２９】
集光光学系９の光軸は励起光光源８に交差している。また、集光光学系９の光軸は駆動軸７に対してほぼ平行であり、集光光学系９の光軸が駆動軸７から径方向外方にずれている。集光光学系９の光軸とホイール板３の交点から駆動軸７までの距離は、駆動軸７から蛍光体層４までの距離にほぼ等しい。そのため、集光光学系９の光軸は、蛍光体層４を通る。励起光光源８が発光すると、励起光光源８から発した励起光が集光光学系９によって蛍光体層４に集光される。励起光の進行する向きは、ホイール板３の一方の面３ａから他方の面３ｂに向かう向きである。
【００３０】
励起光光源８から発した励起光が蛍光体層４に入射すると、蛍光体層４は励起光によって励起されて蛍光を発する。蛍光体層４から発する蛍光の波長帯域は、励起光光源８から発する励起光の波長帯域と異なるのであれば、その蛍光の波長帯域は特に限定するものではない。但し、蛍光体層４から発する蛍光は、単色の可視光であることが好ましい。より好ましくは、蛍光体層４から発する蛍光の色は光の三原色のうち他の色である。例えば、蛍光体層４から発する蛍光は緑色の波長帯域の光である。
【００３１】
ホイール板３の周側面には、タイミングマーク５が形成されている。タイミングマーク５の数は１でもよいし、２以上でもよい。タイミングマーク５の数が複数である場合には、これらタイミングマーク５が周方向に沿って配列されている。
【００３２】
ホイール板３の周側面の外側には、位相センサー１１がホイール板３の周側面に対して対向配置されている。位相センサー１１は、ホイール板３の回転によって、位相センサー１１に対向する近接位置をタイミングマーク５が通過するごとにそれを検出してパルス信号を光源制御部１０に出力する。つまり、位相センサー１１は、ホイール板３の回転位相を検出する。位相センサー１１は、投光素子及び受光素子からなる光センサーである。なお、位相センサー１１がタイミングマーク５を検出する光センサーではなく、モーター６に設けられた一又は複数のホール素子であってもよいし、モーター６に設けられたロータリーエンコーダーであってもよい。
【００３３】
モータードライバー１２は、光源制御部１０の指令に従ってスピンドルモーター６を駆動する。光源制御部１０は、モータードライバー１２を介してスピンドルモーター６の回転速度等の制御を行う。例えば、光源制御部１０は、スピンドルモーター６を等速度制御したり、スピンドルモーター６の回転速度の変更・調整をしたりする。
【００３４】
また、光源制御部１０は、励起光光源８を点滅させるとともに、位相センサー１１によって検出された回転位相に基づき励起光光源８の点滅周期及び点灯・消灯タイミングを制御する。具体的には、光源制御部１０は、蛍光体層４のうち照射領域４ａが集光光学系９の光軸（励起光の光軸）に交差する時に励起光光源８を点灯させ、非照射領域４ｂが集光光学系９の光軸に交差する時に励起光光源８を消灯させる。なお、位相センサー１１によって検出されたホイール板３の回転位相が光源制御部１０に出力されるので、光源制御部１０は、照射領域４ａが集光光学系９の光軸（励起光の光軸）を通過するタイミングと、非照射領域４ｂが集光光学系９の光軸を通過するタイミングを認識することができる。
【００３５】
続いて、点滅光発生装置１の動作について説明する。
光源制御部１０がスピンドルモーター６を作動させると、ホイール板３がスピンドルモーター６によって回転させられる。ホイール板３の回転中、ホイール板３の回転位相が位相センサー１１によって検出され、位相センサー１１によって検出された回転位相が光源制御部１０に出力される。ホイール板３の回転中、光源制御部１０は、位相センサー１１によって検出された回転位相に基づいたタイミングで励起光光源８を点滅させる。つまり、照射領域４ａが集光光学系９の光軸を通過している時には、光源制御部１０が励起光光源８を点灯させ、非照射領域４ｂが集光光学系９の光軸を通過している時には、光源制御部１０が励起光光源８を消灯させる。従って、蛍光体層４のうち照射領域４ａには励起光が照射されるが、非照射領域４ｂには励起光が照射されない。
【００３６】
蛍光体層４の照射領域４ａに励起光が入射すると、蛍光体層４が励起光によって励起され、励起光と異なる波長帯域の蛍光が蛍光体層４から発する。また、励起光の一部が蛍光体層４を透過しても、その励起光がホイール板３の一方の面３ａによって反射され、その反射光によって蛍光体層４が励起され、蛍光体層４から蛍光が発する。そのため、励起光が、蛍光体層４によって、励起光と色の異なる蛍光に変換される。蛍光体層４から発する蛍光は収束性・指向性の低い拡散光であるが、その蛍光の光軸（蛍光の光軸とは、光度が最大となる向きに蛍光体層４から延びる仮想的な線である。）は集光光学系９の光軸と一致する。蛍光体層４から発した蛍光は、光学ユニットによって所定の方向に投射される。
【００３７】
以上のように、ホイール板３がシリンドリカル状に湾曲しているから、ホイール板３が回転していると、集光光学系９の光軸と蛍光体層４との交点から集光光学系９までの距離が変動する。そのような距離の変動があるものとしても、照射領域４ａがホイール板３の一方の面３ａの母線方向（稜線方向）に沿った第一半径３ｄ１を跨ぐが、第一半径３ｄ１に対して直交する半径３ｄ２，３ｄ３を跨がないから、照射領域４ａでは、集光光学系９の光軸と蛍光体層４との交点から集光光学系９までの距離の変動幅が小さい。そのため、照射領域４ａに入射される励起光のスポット径が大きく変動せず、励起光が照射領域４ａ内の何れの位置に入射しても均等・均一である。そのため、励起光が照射領域４ａ内の何れの位置に入射しても、均一・均等な蛍光が発する。
【００３８】
なお、図４のように、光源制御部１０は、蛍光体層４のうち第一照射領域４ａ１が集光光学系９の光軸（励起光の光軸）を通過する時及び第二照射領域４ａ２が集光光学系９の光軸（励起光の光軸）を通過する時に励起光光源８を点灯させ、第一非照射領域４ｂ１が集光光学系９の光軸を通過する時及び第二非照射領域４ｂ２が集光光学系９の光軸を通過する時に励起光光源８を消灯させてもよい。ここで、第一照射領域４ａ１は、蛍光体層４のうち、第一半径３ｄ１を周方向に沿って跨ぐとともに第二半径３ｄ２、第三半径３ｄ３及び第四半径３ｄ４を跨がない円弧状領域をいう。第二照射領域４ａ２は、蛍光体層４のうち、第四半径３ｄ４を周方向に沿って跨ぐとともに第一半径３ｄ１、第二半径３ｄ２及び第三半径３ｄ３を跨がない円弧状領域をいう。第一非照射領域４ｂ１は、蛍光体層４のうち、第二半径３ｄ２を周方向に沿って跨ぐとともに第一半径３ｄ１、第三半径３ｄ３及び第四半径３ｄ４を跨がない円弧状領域をいう。第二非照射領域４ｂ２は、蛍光体層４のうち、第三半径３ｄ３を周方向に沿って跨ぐとともに第一半径３ｄ１、第二半径３ｄ２及び第四半径３ｄ４を跨がない円弧状領域をいう。第一照射領域４ａ１は、第一半径３ｄ１を中心として周方向に円弧状に広がった領域であり、第二照射領域４ａ２は、第四半径３ｄ４を中心として周方向に円弧状に広がった領域であり、第一非照射領域４ｂ１は、第二半径３ｄ２を中心として周方向に円弧状に広がった領域であり、第二非照射領域４ｂ２は、第三半径３ｄ３を中心として周方向に円弧状に広がった領域である。照射領域４ａ１，４ａ２と非照射領域４ｂ１，４ｂ２の中心角の和は３６０°であり、照射領域４ａ１，４ａ２と非照射領域４ｂ１，４ｂ２の組み合わせが円環状の領域となる。例えば、照射領域４ａ１，４ａ２の中心角はそれぞれ６０°であり、非照射領域４ｂ１，４ｂ２の中心角はそれぞれ１２０°である。
【００３９】
〔第２の実施の形態〕
第２の実施の形態と第１の実施の形態とは、励起光光源８の点灯・消灯タイミングが異なる。第２の実施の形態と第１の実施の形態とは、励起光光源８の点灯・消灯タイミング以外については同様である。
【００４０】
ここで、ホイール板３の一方の面３ａがシリンドリカル状凸面であるから、図５に示すように、ホイール板３の一方の面３ａには、その面３ａの母線方向に沿った第一半径３ｇ１及び第二半径３ｇ２がある。第一半径３ｇ１と第二半径３ｇ２は一直線状になっており、第一半径３ｇ１と第二半径３ｇ２によって直径を成している。また、ホイール板３の一方の面３ａには、第一半径３ｇ１及び第二半径３ｇ２に直交する第三半径３ｇ３及び第四半径３ｇ４がある。第三半径３ｇ３と第四半径３ｇ４は一直線状になっており、第三半径３ｇ３と第四半径３ｇ４によって直径を成している。蛍光体層４のうち、第三半径３ｇ３を周方向に沿って跨ぐとともに第一半径３ｇ１、第二半径３ｇ２及び第四半径３ｇ４を跨がない円弧状領域４ｃを照射領域４ｃといい、第一半径３ｇ１、第二半径３ｇ２及び第四半径３ｇ４を周方向に沿って跨ぐとともに第三半径３ｇ３を跨がない円弧状領域４ｄを非照射領域４ｄという。照射領域４ｃは、第三半径３ｇ３を中心として周方向に円弧状に広がった領域であり、非照射領域４ｄは、第四半径３ｇ４を中心として周方向に円弧状に広がった領域である。照射領域４ｃの中心角は０°を超え、１８０°未満であり、非照射領域４ｄの中心角は１８０°を超え３６０°未満であり、これらの和は３６０°である。例えば、照射領域４ｃの中心角が１２０°であり、非照射領域４ｄの中心角は２４０°である。
【００４１】
光源制御部１０（図２参照）は、位相センサー１１によって検出された回転位相に基づいて励起光光源８の点滅周期及び点灯・消灯タイミングを制御する。つまり、光源制御部１０は、蛍光体層４のうち照射領域４ｃが集光光学系９の光軸に交差する時に励起光光源８を点灯させ、非照射領域４ｄが集光光学系９の光軸に交差する時に励起光光源８を消灯させる。
【００４２】
ホイール板３が回転している時、照射領域４ｃでは、集光光学系９の光軸と蛍光体層４との交点から集光光学系９までの距離の変動幅が小さい。従って、照射領域４ｃに入射される励起光のスポット径が大きく変動しない。そのため、励起光が照射領域４ｃ内の何れの位置に入射しても、均一・均等な蛍光が発する。
【００４３】
なお、図６のように、光源制御部１０は、蛍光体層４のうち第一照射領域４ｃ１が集光光学系９の光軸（励起光の光軸）を通過する時及び第二照射領域４ｃ２が集光光学系９の光軸（励起光の光軸）を通過する時に励起光光源８を点灯させ、第一非照射領域４ｄ１が集光光学系９の光軸を通過する時及び第二非照射領域４ｄ２が集光光学系９の光軸を通過する時に励起光光源８を消灯させてもよい。ここで、第一照射領域４ｃ１は、蛍光体層４のうち、第三半径３ｇ３を周方向に沿って跨ぐとともに第一半径３ｇ１、第二半径３ｇ２及び第四半径３ｇ４を跨がない円弧状領域をいう。第二照射領域４ｃ２は、蛍光体層４のうち、第四半径３ｇ４を周方向に沿って跨ぐとともに第一半径３ｇ１、第二半径３ｇ２及び第三半径３ｇ３を跨がない円弧状領域をいう。第一非照射領域４ｄ１は、蛍光体層４のうち、第一半径３ｇ１を周方向に沿って跨ぐとともに第二半径３ｇ２、第三半径３ｇ３及び第四半径３ｇ４を跨がない円弧状領域をいう。第二非照射領域４ｄ２は、蛍光体層４のうち、第二半径３ｇ２を周方向に沿って跨ぐとともに第一半径３ｇ１、第三半径３ｇ３及び第四半径３ｇ４を跨がない円弧状領域をいう。第一照射領域４ｃ１は、第三半径３ｇ３を中心として周方向に円弧状に広がった領域であり、第二照射領域４ｃ２は、第四半径３ｇ４を中心として周方向に円弧状に広がった領域であり、第一非照射領域４ｄ１は、第一半径３ｇ１を中心として周方向に円弧状に広がった領域であり、第二非照射領域４ｄ２は、第二半径３ｇ２を中心として周方向に円弧状に広がった領域である。照射領域４ｃ１，４ｃ２と非照射領域４ｄ１，４ｄ２の中心角の和は３６０°であり、照射領域４ｃ１，４ｃ２と非照射領域４ｄ１，４ｄ２の組み合わせが円環状の領域となる。例えば、照射領域４ｃ１，４ｃ２の中心角はそれぞれ６０°であり、非照射領域４ｄ１，４ｄ２の中心角はそれぞれ１２０°である。
【００４４】
〔第３の実施の形態〕
第３の実施の形態と第１の実施の形態とは、ホイール板３の湾曲が異なる。つまり、図７に示すように、ホイール板３が第１の実施の形態におけるホイール板３の湾曲と反対となるようにシリンドリカル状に湾曲し、蛍光体層４が形成された面３ａがシリンドリカル凹面状に形成され、他方の面３ｂがシリンドリカル凸面状に形成されている。
【００４５】
ホイール板３の一方の面３ａがシリンドリカル状凹面であるから、図８に示すように、ホイール板３の一方の面３ａには、その面３ａの母線方向（谷線方向）に沿った第一半径３ｊ１がある。また、ホイール板３の一方の面３ａには、第一半径３ｊ１に直交する第二半径３ｊ２及び第三半径３ｊ３がある。第二半径３ｊ２と第三半径３ｊ３は一直線状になっており、第二半径３ｊ２と第三半径３ｊ３によって直径を成している。ホイール板３の一方の面３ａには、その面３ａの母線方向に沿った第四半径３ｊ４がある。第一半径３ｊ１と第四半径３ｊ４は一直線状になっており、第一半径３ｊ１と第四半径３ｊ４によって直径を成している。また、蛍光体層４のうち、第一半径３ｊ１を周方向に沿って跨ぐとともに第二半径３ｊ２、第三半径３ｊ３及び第四半径３ｊ４を跨がない円弧状領域４ｅを照射領域４ｅといい、第二半径３ｊ２、第三半径３ｊ３及び第四半径３ｊ４を周方向に沿って跨ぐとともに第一半径３ｊ１を跨がない円弧状領域４ｆを非照射領域４ｂという。照射領域４ｅは、第一半径３ｊ１を中心として周方向に円弧状に広がった領域であり、非照射領域４ｆは、第四半径３ｊ４を中心として周方向に円弧状に広がった領域であり、照射領域４ｅと非照射領域４ｆの組み合わせが円環状の領域となる。照射領域４ｅの中心角は０°を超え、１８０°未満であり、非照射領域４ｆの中心角は１８０°を超え３６０°未満であり、これらの和は３６０°である。例えば、照射領域４ａの中心角が１２０°であり、非照射領域４ｆの中心角は２４０°である。
【００４６】
光源制御部１０（図２参照）は、位相センサー１１によって検出された回転位相に基づいて励起光光源８の点滅周期及び点灯・消灯タイミングを制御する。つまり、光源制御部１０は、蛍光体層４のうち照射領域４ｅが集光光学系９の光軸に交差する時に励起光光源８を点灯させ、非照射領域４ｆが集光光学系９の光軸に交差する時に励起光光源８を消灯させる。
【００４７】
ホイール板３が回転している時、照射領域４ｅでは、集光光学系９の光軸と蛍光体層４との交点から集光光学系９までの距離の変動幅が小さい。従って、照射領域４ｅに入射される励起光のスポット径が大きく変動しない。そのため、励起光が照射領域４ｅ内の何れの位置に入射しても、均一・均等な蛍光が発する。
【００４８】
第３の実施の形態と第１の実施の形態とは、ホイール板３の湾曲及び励起光光源８の点灯・消灯タイミング以外については同様である。
【００４９】
なお、図９のように、光源制御部１０は、蛍光体層４のうち第一照射領域４ｅ１が集光光学系９の光軸（励起光の光軸）を通過する時及び第二照射領域４ｅ２が集光光学系９の光軸（励起光の光軸）を通過する時に励起光光源８を点灯させ、第一非照射領域４ｆ１が集光光学系９の光軸を通過する時及び第二非照射領域４ｆ２が集光光学系９の光軸を通過する時に励起光光源８を消灯させてもよい。ここで、第一照射領域４ｅ１は、蛍光体層４のうち、第一半径３ｊ１を周方向に沿って跨ぐとともに第二半径３ｊ２、第三半径３ｊ３及び第四半径３ｊ４を跨がない円弧状領域をいう。第二照射領域４ｅ２は、蛍光体層４のうち、第四半径３ｊ４を周方向に沿って跨ぐとともに第一半径３ｊ１、第二半径３ｊ２及び第三半径３ｊ３を跨がない円弧状領域をいう。第一非照射領域４ｆ１は、蛍光体層４のうち、第二半径３ｊ２を周方向に沿って跨ぐとともに第一半径３ｊ１、第三半径３ｊ３及び第四半径３ｊ４を跨がない円弧状領域をいう。第二非照射領域４ｆ２は、蛍光体層４のうち、第三半径３ｊ３を周方向に沿って跨ぐとともに第一半径３ｊ１、第二半径３ｊ２及び第四半径３ｊ４を跨がない円弧状領域をいう。第一照射領域４ｅ１は、第一半径３ｊ１を中心として周方向に円弧状に広がった領域であり、第二照射領域４ｅ２は、第四半径３ｊ４を中心として周方向に円弧状に広がった領域であり、第一非照射領域４ｆ１は、第二半径３ｊ２を中心として周方向に円弧状に広がった領域であり、第二非照射領域４ｆ２は、第三半径３ｊ３を中心として周方向に円弧状に広がった領域である。照射領域４ｅ１，４ｅ２と非照射領域４ｆ１，４ｆ２の中心角の和は３６０°であり、照射領域４ｅ１，４ｅ２と非照射領域４ｆ１，４ｆ２の組み合わせが円環状の領域となる。例えば、照射領域４ｅ１，４ｅ２の中心角はそれぞれ６０°であり、非照射領域４ｊ１，４ｊ２の中心角はそれぞれ１２０°である。
【００５０】
〔第４の実施の形態〕
第４の実施の形態と第３の実施の形態とは、励起光光源８の点灯・消灯タイミングが異なる。第４の実施の形態と第３の実施の形態とは、励起光光源８の点灯・消灯タイミング以外については同様である。
【００５１】
ここで、ホイール板３の一方の面３ａがシリンドリカル状凹面であるから、図１０に示すように、ホイール板３の一方の面３ａには、その面３ａの母線方向（谷線方向）に沿った第一半径３ｒ１及び第二半径３ｒ２がある。第一半径３ｒ１と第二半径３ｒ２は一直線状になっており、第一半径３ｒ１と第二半径３ｒ２によって直径を成している。また、ホイール板３の一方の面３ａには、第一半径３ｒ１及び第二半径３ｒ２に直交する第三半径３ｒ３及び第四半径３ｒ４がある。第三半径３ｒ３と第四半径３ｒ４は一直線状になっており、第三半径３ｒ３と第四半径３ｒ４によって直径を成している。蛍光体層４のうち、第三半径３ｒ３を周方向に沿って跨ぐとともに第一半径３ｒ１、第二半径３ｒ２及び第四半径３ｒ４を跨がない円弧状領域４ｇを照射領域４ｇといい、第一半径３ｇｒ、第二半径３ｒ２及び第四半径３ｒ４を周方向に沿って跨ぐとともに第三半径３ｒ３を跨がない円弧状領域４ｈを非照射領域４ｈという。照射領域４ｇは、第三半径３ｒ３を中心として周方向に円弧状に広がった領域であり、非照射領域４ｈは、第四半径３ｒ４を中心として周方向に円弧状に広がった領域である。照射領域４ｇの中心角は０°を超え、１８０°未満であり、非照射領域４ｈの中心角は１８０°を超え３６０°未満であり、これらの和は３６０°である。例えば、照射領域４ｇの中心角が１２０°であり、非照射領域４ｈの中心角は２４０°である。
【００５２】
光源制御部１０（図２参照）は、位相センサー１１によって検出された回転位相に基づいて励起光光源８の点滅周期及び点灯・消灯タイミングを制御する。つまり、光源制御部１０は、蛍光体層４のうち照射領域４ｇが集光光学系９の光軸に交差する時に励起光光源８を点灯させ、非照射領域４ｈが集光光学系９の光軸に交差する時に励起光光源８を消灯させる。
【００５３】
ホイール板３が回転している時、照射領域４ｇでは、集光光学系９の光軸と蛍光体層４との交点から集光光学系９までの距離の変動幅が小さい。従って、照射領域４ｇに入射される励起光のスポット径が大きく変動しない。そのため、励起光が照射領域４ｇ内の何れの位置に入射しても、均一・均等な蛍光が発する。
【００５４】
なお、図１１のように、光源制御部１０は、蛍光体層４のうち第一照射領域４ｇ１が集光光学系９の光軸（励起光の光軸）を通過する時及び第二照射領域４ｇ２が集光光学系９の光軸（励起光の光軸）を通過する時に励起光光源８を点灯させ、第一非照射領域４ｈ１が集光光学系９の光軸を通過する時及び第二非照射領域４ｈ２が集光光学系９の光軸を通過する時に励起光光源８を消灯させてもよい。ここで、第一照射領域４ｇ１は、蛍光体層４のうち、第三半径３ｒ３を周方向に沿って跨ぐとともに第一半径３ｒ１、第二半径３ｒ２及び第四半径３ｒ４を跨がない円弧状領域をいう。第二照射領域４ｇ２は、蛍光体層４のうち、第四半径３ｒ４を周方向に沿って跨ぐとともに第一半径３ｒ１、第二半径３ｒ２及び第三半径３ｒ３を跨がない円弧状領域をいう。第一非照射領域４ｈ１は、蛍光体層４のうち、第一半径３ｒ１を周方向に沿って跨ぐとともに第二半径３ｒ２、第三半径３ｒ３及び第四半径３ｒ４を跨がない円弧状領域をいう。第二非照射領域４ｈ２は、蛍光体層４のうち、第二半径３ｒ２を周方向に沿って跨ぐとともに第一半径３ｒ１、第三半径３ｒ３及び第四半径３ｒ４を跨がない円弧状領域をいう。第一照射領域４ｇ１は、第三半径３ｒ３を中心として周方向に円弧状に広がった領域であり、第二照射領域４ｇ２は、第四半径３ｒ４を中心として周方向に円弧状に広がった領域であり、第一非照射領域４ｈ１は、第一半径３ｒ１を中心として周方向に円弧状に広がった領域であり、第二非照射領域４ｈ２は、第二半径３ｒ２を中心として周方向に円弧状に広がった領域である。照射領域４ｇ１，４ｇ２と非照射領域４ｈ１，４ｈ２の中心角の和は３６０°であり、照射領域４ｇ１，４ｇ２と非照射領域４ｈ１，４ｈ２の組み合わせが円環状の領域となる。例えば、照射領域４ｇ１，４ｇ２の中心角はそれぞれ６０°であり、非照射領域４ｈ１，４ｈ２の中心角はそれぞれ１２０°である。
【００５５】
〔第５の実施の形態〕
続いて、図１２及び図１３を参照して、第１〜第４の何れか実施形態における点滅光発生装置１を具備する時分割光発生装置５０について説明するとともに、その時分割光発生装置５０を具備するプロジェクタ１００について説明する。図１３は、プロジェクタ１００の光学ユニットを主に説明した平面図である。図９は、プロジェクタ１００を示した概略ブロック図である。
【００５６】
図１２及び図１３に示すように、プロジェクタ１００は、表示素子４０、時分割光発生装置５０、光源側光学系８０及び投影光学系９０等を備える。
【００５７】
時分割光発生装置５０は、赤色光、緑色光及び青色光を時分割で順次繰り返し出射するものである。時分割光発生装置５０は、蛍光である緑色光を発生させて点滅させる上述の点滅光発生装置１と、青色光を発生させる第一光源５２と、赤色光を発生させる第二光源５３と、第一光源５２から発した青色光の光軸、第二光源５３から発した赤色光の光軸及び点滅光発生装置１から発した緑色光の光軸を重ねて、これらの赤色光、緑色光及び青色光を出射させる光学系７０と、を備える。ここで、点滅光発生装置１の光源制御部１０は、励起光光源８の点滅周期及び点灯・消灯タイミングを制御するのみならず、第一光源５２及び第二光源５３の点滅周期及び点灯・消灯タイミングも制御する。
【００５８】
図１２に示すように、点滅光発生装置１の励起光光源８は、二次元アレイ状に配列されているとともに、青色のレーザー励起光を発する複数のレーザーダイオード８ａからなる。
【００５９】
点滅光発生装置１の集光光学系９は、複数のコリメートレンズ９ａ、複数の反射ミラー９ｂ、レンズ群９ｃ及びレンズ群９ｄを有する。
コリメートレンズ９ａが励起光光源８のレーザーダイオード８ａにそれぞれ対向配置され、各レーザーダイオード８ａから発したレーザー励起光がコリメートレンズ９ａによってコリメートされる。
【００６０】
反射ミラー９ｂがレーザーダイオード８ａから発したレーザー励起光の光軸に対して斜めになるようにレーザーダイオード８ａ及びコリメートレンズ９ａに相対し、コリメートレンズ９ａによってコリメートされたレーザー励起光の光軸が反射ミラー９ｂによって９０°変換される。これら反射ミラー９ｂは階段状に配列され、レーザーダイオード８ａから発したレーザー励起光の光軸の間隔がこれら反射ミラー９ｂによって狭められ、これら反射ミラー９ｂによって反射されたレーザー励起光の光束群が占める断面積は、反射ミラー９ｂによって反射される前のレーザー励起光の光束群が占める断面積より狭くなる。レンズ群９ｃ及びレンズ群９ｄは、これらの光軸が一直線状になるように配列されている。レンズ群９ｃ及びレンズ群９ｄの光軸は、励起光光源８の光軸に対して略直交する。レンズ群９ｃ及びレンズ群９ｄは、複数の反射ミラー９ｂによって反射されたレーザー励起光の光束群を蛍光体ホイール２の蛍光体層４に集光させて、レーザー励起光の光束群を一つに纏める。
【００６１】
蛍光体層４は、青色の励起光によって緑色の蛍光を発するものである。なお、レーザーダイオード８ａが紫外光を発するものであり、蛍光体層４が紫外光によって緑色の蛍光を発するものとしてもよい。
【００６２】
第一光源５２は、青色の発光ダイオードであって、その光軸が励起光光源８の光軸と平行となるように配置されている。
第二光源５３は、赤色の発光ダイオードであって、その光軸がレンズ群９ｃ，９ｄの光軸と平行となるように配置されている。
【００６３】
光学系７０は、第一ダイクロイックミラー７１、第二ダイクロイックミラー７２、レンズ群７３、レンズ７４、レンズ群７５及びレンズ７６を備える。
【００６４】
レンズ群７３は、第一光源５２に相対向する。レンズ群７３及びレンズ７４は、これらの光軸が一直線状になるように配列されている。レンズ群７３及びレンズ７４は、それらの光軸がレンズ群９ｃとレンズ群９ｄの間でレンズ群９ｃ及びレンズ群９ｄの光軸に対して直交するように配置されている。
【００６５】
第一ダイクロイックミラー７１は、レンズ群７３とレンズ７４との間であって、レンズ群９ｃとレンズ群９ｄとの間に配置されている。第一ダイクロイックミラー７１は、レンズ群９ｃ，９ｄの光軸に対して４５°で斜交するとともに、レンズ群７３及びレンズ７４の光軸に対して４５°で斜交する。第一ダイクロイックミラー７１は、青色の波長帯域の光を透過させるとともに、緑色の波長帯域の光を反射させる。
【００６６】
レンズ群７５は、第二光源５３に相対向する。レンズ群７５及びレンズ７６は、これらの光軸が一直線状になるように配列されている。レンズ群７５及びレンズ７６は、それらの光軸がレンズ７４に関して第一光源５２の反対側でレンズ群７３及びレンズ７４の光軸に対して直交するように配置されている。
【００６７】
第二ダイクロイックミラー７２は、レンズ群７５とレンズ７６の間に配置されているとともに、レンズ７４に関して第一光源５２の反対側に配置されている。第二ダイクロイックミラー７２は、レンズ群７３及びレンズ７４の光軸に対して４５°で斜交するとともに、レンズ群７５及びレンズ７６の光軸に対して４５°で斜交する。第二ダイクロイックミラー７２は、青色及び緑色の波長帯域の光を反射させるとともに、赤色の波長帯域の光を透過させる。
【００６８】
図１３に示された光源制御部１０は、位相センサー１１によって検出された回転位相に基づき、励起光光源８、第一光源５２及び第二光源５３の点滅周期及び点灯・消灯タイミングも制御する。具体的には、光源制御部１０は、励起光光源８、第一光源５２及び第二光源５３を時分割で順次点灯させて、これらを同時に点灯させないようにして、励起光光源８、第一光源５２及び第二光源５３を点滅させる。従って、励起光光源８が点灯している時には第一光源５２及び第二光源５３が消灯し、第一光源５２が点灯している時には第二光源５３及び励起光光源８が消灯し、第二光源５３が点灯している時には励起光光源８及び第一光源５２が消灯する。
【００６９】
励起光光源８が点灯し、第一光源５２及び第二光源５３が消灯すると、図１２に示すように、励起光光源８から発した励起光（青色光）の光軸が反射ミラー９ｂによって９０°変換されて、その励起光がレンズ群９ｃに向けて反射される。反射ミラー９ｂによって反射された励起光がレンズ群９ｃ、第一ダイクロイックミラー７１及びレンズ群９ｄを通過し、蛍光体層４の照射領域４ａ、照射領域４ｃ、照射領域４ｅ又は照射領域４ｇに入射する。この際、励起光光源８から発した励起光は、反射ミラー９ｂ、レンズ群９ｃ及びレンズ群９ｄによって蛍光体層４に集光される。励起光の照射によって蛍光体層４から発した緑色光はレンズ群９ｄを通過する。レンズ群９ｄを通過した緑色光の光軸が第一ダイクロイックミラー７１によって９０°変換され、その緑色光が第一ダイクロイックミラー７１によってレンズ７４に向けて反射される。第一ダイクロイックミラー７１によって反射された緑色光がレンズ７４を通過する。その緑色光の光軸が第二ダイクロイックミラー７２によって９０°変換され、その緑色光が第二ダイクロイックミラー７２によってレンズ７６に向けて反射され、その反射光がレンズ７６を通過する。この際、蛍光体層４から発した緑色光は、レンズ群９ｄ、レンズ７４及びレンズ７６によって導光装置８１（後に詳述する）に集光される。
【００７０】
第一光源５２が点灯し、第二光源５３及び励起光光源８が消灯すると、第一光源５２から発した青色光がレンズ群７３、第一ダイクロイックミラー７１及びレンズ７４を透過する。そのため、第一ダイクロイックミラー７１を透過した青色光の光軸が、第一ダイクロイックミラー７１によって反射された緑色光の光軸に重なる。レンズ７４を通過した青色光が第二ダイクロイックミラー７２によってレンズ７６に向けて反射され、その反射光がレンズ７６を通過する。この際、第一光源５２から発した青色光は、レンズ群７３、レンズ７４及びレンズ７６によって導光装置８１に集光される。
【００７１】
第二光源５３が点灯し、励起光光源８及び第一光源５２が消灯すると、第二光源から発した赤色光がレンズ群７５、第二ダイクロイックミラー７２及びレンズ７６を透過する。そのため、第二ダイクロイックミラー７２を透過した赤色光の光軸が、第二ダイクロイックミラー７２によって反射された緑色光及び青色光の光軸に重なる。この際、第二光源５３から発した赤色光は、レンズ群７５及びレンズ７６によって導光装置８１に集光される。
【００７２】
第一光源５２から発する光の色、第二光源５３から発する光の色、蛍光体層４から発する蛍光の色は一例であり、別の色であってもよい。第一光源５２から発する励起光の色、第二光源５３から発する光の色、蛍光体層４から発する蛍光の色は、光の三原色であって、互いに異なることが好ましい。
【００７３】
光源側光学系８０は、時分割光発生装置５０から出射された赤色光、緑色光及び青色光を表示素子４０に投射するものである。光源側光学系８０は、導光装置８１、レンズ８２、光軸変換ミラー８３、集光レンズ群８４、照射ミラー８５及び照射レンズ８６を有する。
【００７４】
導光装置８１及びレンズ８２は、これらの光軸が時分割光発生装置５０のレンズ７６の光軸と一直線状になるように配置されている。集光レンズ群８４は、その光軸がレンズ８２の光軸に交差するように配置されている。光軸変換ミラー８３は、レンズ８２の光軸と集光レンズ群８４の光軸が交差する位置において、こられの光軸に対して斜交する。導光装置８１は、ライトトンネル又はライトロッドである。導光装置８１は、時分割光発生装置５０から射出された赤色光、緑色光及び青色光を側面で複数回反射又は全反射させることで、赤色光、緑色光及び青色光を均一な強度分布の光束にする。レンズ８２は、導光装置８１によって導光された赤色光、緑色光及び青色光を光軸変換ミラー８３に向けて投射するとともに、集光する。光軸変換ミラー８３は、レンズ８２によって投射された赤色光、緑色光及び青色光を集光レンズ群８４に向けて反射させる。集光レンズ群８４は、光軸変換ミラー８３によって反射された赤色光、緑色光及び青色光を照射ミラー８５に向けて投射するとともに、集光する。照射ミラー８５は、集光レンズ群８４によって投射された光を表示素子４０に向けて反射させる。
【００７５】
表示素子４０は、光源側光学系８０の照射ミラー８５によって照射された赤色光、緑色光及び青色光を画像データに応じて各画素毎（各空間光変調素子毎）に変調することで、画像を形成する反射型空間光変調器である。具体的には、表示素子４０は、二次元アレイ状に配列された複数の可動マイクロミラー等を有するデジタル・マイクロミラー・デバイス（ＤＭＤ）である。
【００７６】
なお、表示素子４０が反射型の空間光変調器ではなく、透過型の空間光変調器（例えば、液晶シャッターアレイパネル：いわゆる液晶表示器）であってもよい。その場合、光源側光学系８０の光学設計を変更し、光源側光学系８０によって照射される赤色光、緑色光及び青色光の光軸が後述の投影光学系９０の光軸に重なるようにして、投影光学系９０と光源側光学系８０との間に表示素子４０を配置する。
【００７７】
投影光学系９０は表示素子４０に正対するように設けられ、投影光学系９０の光軸が前後に延びて表示素子４０に交差（具体的には、直交）する。投影光学系９０は、表示素子４０によって反射された光を前方に投射し、表示素子４０によって形成された画像をスクリーンに投影する。この投影光学系９０は、可動レンズ群９１及び固定レンズ群９２等を備えるとともに、ズーム機能及びフォーカス機能を有した可変焦点型レンズである。投影光学系９０は、レンズモーター等による可動レンズ群９１の移動によって、焦点距離が変更可能であるとともに、フォーカシングが可能である。
【００７８】
図９に示すように、プロジェクタ１００は、ＣＰＵ３０、メインメモリ３１、プログラムメモリ３２、操作／表示部３３、入力部３４、音声処理部３５、スピーカー３６、画像処理部３７、表示駆動部３８及びシステムバス３９を更に備える。
【００７９】
この入力部３４は、例えばピンジャック（ＲＣＡ）タイプのビデオ入力端子、Ｄ−ｓｕｂ１５タイプのＲＧＢ入力端子、ＨＤＭＩ（Ｈｉｇｈ−ＤｅｆｉｎｉｔｉｏｎＭｕｌｔｉｍｅｄｉａ Ｉｎｔｅｒｆａｃｅ）規格の画像／音声入力端子、及びＵＳＢ（ＵｎｉｖｅｒｓａｌＳｅｒｉａｌ Ｂｕｓ）コネクタを有し、有線接続された外部機器からの画像信号及び音声信号を入力する。
【００８０】
入力部３４から入力された各種規格の画像信号は、システムバス３９を介して画像処理部３７に入力される。
画像処理部３７は、入力される画像信号を投影に適した所定のフォーマットの画像信号に統一し、内蔵する表示用のバッファメモリに適宜書込んだ後に、書込んだ画像信号を読出して表示駆動部３８へ送る。
【００８１】
表示駆動部３８は、送られてきた画像信号に応じて、所定のフォーマットに従ったフレームレート、例えば６０［フレーム／秒］と色成分の分割数、及び表示階調数を乗算した、より高速な時分割駆動により、表示素子４０を駆動する。具体的には、赤色光が表示素子４０に照射されている際に、表示駆動回路が画像データに従って表示素子４０の各可動マイクロミラー毎（各空間変調素子毎）に制御（例えば、ＰＷＭ制御）することで、赤色光が後述の投影光学系９０に向けて反射される時間比（デューティー比）が各可動マイクロミラー毎に制御される。これにより、表示素子４０によって赤色の画像が形成される。緑色光や青色光が表示素子４０に照射されている際も、同様である。表示駆動部３８の動作と表示駆動部３８の動作の同期は、例えば、位相センサー１１によって検出された回転位相に基づいて行われる。
【００８２】
この操作／表示部３３は、プロジェクタ１００の筐体前後面に設けられるリモコン受光部と、その筐体上面に設けられるキー入力／インジケータ部を含む。操作／表示部３３は、ユーザがプロジェクタ１００本体のキー入力／インジケータ部又はプロジェクタ１００専用のリモートコントローラで操作したキーに基づくキー操作信号をＣＰＵ３０へ出力する。
【００８３】
音声処理部３５は、ＰＣＭ音源等の音源回路を備え、投影動作時に与えられる音声信号をアナログ化し、スピーカー３６を駆動して放音させ、あるいは必要によりビープ音等を発生させる。
【００８４】
音声処理部３５、画像処理部３７及び表示駆動部３８の動作すべてをＣＰＵ３０が制御する。このＣＰＵ３０は、メインメモリ３１及びプログラムメモリ３２と直接接続される。メインメモリ３１は、ＤＲＡＭで構成され、ＣＰＵ３０のワークメモリとして機能する。プログラムメモリ３２は、電気的書換可能な不揮発性メモリで構成され、ＣＰＵ３０が実行する動作プログラムや各種定型データ等を記憶する。
【００８５】
以上に、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の照射領域が前記集光光学系の光軸を通過する際に前記励起光光源を点灯させ、前記第一半径と直前状になる第四半径、前記第二半径及び前記第三半径を周方向に沿って跨ぎ、前記第一半径を跨がない円弧状の非照射領域が前記集光光学系の光軸を通過する際に前記励起光光源を消灯させることを特徴とする点滅光発生装置。
＜請求項２＞
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の第一照射領域が前記集光光学系の光軸を通過する際と、前記第一半径と直線状になる第四半径を周方向に沿って跨ぎ前記第二半径及び前記第三半径を跨がない円弧状の第二照射領域が前記集光光学系の光軸を通過する際に前記励起光光源を点灯させ、前記第二半径を周方向に跨ぎ前記第一半径及び第四半径を跨がない円弧状の第一非照射領域が前記集光光学系の光軸を通過する際と、前記第三半径を周方向に跨ぎ前記第一半径及び第四半径を跨がない円弧状の第一非照射領域が前記集光光学系の光軸を通過する際に前記励起光光源を消灯させることを特徴とする点滅光発生装置。
＜請求項３＞
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の照射領域が前記集光光学系の光軸を通過する際に前記励起光光源を点灯させ、前記第一半径及び前記第二半径を周方向に跨ぎ、前記第三半径を跨がない円弧状の非照射領域が前記集光光学系の光軸を通過する際に前記励起光光源を消灯させることを特徴とする点滅光発生装置。
＜請求項４＞
回転駆動器と、
前記回転駆動器によって回転させられ、シリンドリカル状に湾曲し、両面のうち一方の面がシリンドリカル凸面状に形成され、他方の面がシリンドリカル凹面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の第一照射領域が前記集光光学系の光軸を通過する際と、前記第三半径と直線状になる第四半径を周方向に跨ぎ前記第一半径及び前記第二半径を跨がない円弧状の第二照射領域が前記集光光学系の光軸を通過する際に前記励起光光源を点灯させ、前記第一半径を周方向に跨ぎ前記第三半径及び前記第四半径を跨がない円弧状の第一非照射領域が前記集光光学系の光軸を通過する際と、前記第二半径を周方向に跨ぎ前記第三半径及び前記第四半径を跨がない円弧状の第一非照射領域が前記集光光学系の光軸を通過する際に前記励起光光源を消灯させることを特徴とする点滅光発生装置。
＜請求項５＞
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の照射領域が前記集光光学系の光軸を通過する際に前記励起光光源を点灯させ、前記第一半径と直前状になる第四半径、前記第二半径及び前記第三半径を周方向に沿って跨ぎ、前記第一半径を跨がない円弧状の非照射領域が前記集光光学系の光軸を通過する際に前記励起光光源を消灯させることを特徴とする点滅光発生装置。
＜請求項６＞
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った第一半径を周方向に沿って跨ぎ、前記第一半径に対して直交する一対の第二半径及び第三半径を跨がない円弧状の第一照射領域が前記集光光学系の光軸を通過する際と、前記第一半径と直線状になる第四半径を周方向に沿って跨ぎ前記第二半径及び前記第三半径を跨がない円弧状の第二照射領域が前記集光光学系の光軸を通過する際に前記励起光光源を点灯させ、前記第二半径を周方向に跨ぎ前記第一半径及び第四半径を跨がない円弧状の第一非照射領域が前記集光光学系の光軸を通過する際と、前記第三半径を周方向に跨ぎ前記第一半径及び第四半径を跨がない円弧状の第一非照射領域が前記集光光学系の光軸を通過する際に前記励起光光源を消灯させることを特徴とする点滅光発生装置。
＜請求項７＞
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の照射領域が前記集光光学系の光軸を通過する際に前記励起光光源を点灯させ、前記第一半径及び前記第二半径を周方向に跨ぎ、前記第三半径を跨がない円弧状の非照射領域が前記集光光学系の光軸を通過する際に前記励起光光源を消灯させることを特徴とする点滅光発生装置。
＜請求項８＞
回転駆動器と、
前記回転駆動器によって回転させられ、シリンドリカル状に湾曲し、両面のうち一方の面がシリンドリカル凹面状に形成され、他方の面がシリンドリカル凸面状に形成されたホイール板と、
前記ホイール板の前記一方の面に形成された蛍光体層と、
励起光を発する励起光光源と、
前記励起光光源から発した励起光を前記蛍光体層に集光させる集光光学系と、
前記ホイール板の回転位相を検出する位相検出部と、
前記位相検出部によって検出された回転位相に基づいて前記励起光光源を点滅させる光源制御部と、を備え、
前記光源制御部は、前記ホイール板の回転中において、前記蛍光体層のうち、前記ホイール板の前記一方の面の母線方向に沿った一対の第一半径及び第二半径に直交する第三半径を周方向に跨ぎ、前記第一半径及び前記第二半径を跨がない円弧状の第一照射領域が前記集光光学系の光軸を通過する際と、前記第三半径と直線状になる第四半径を周方向に跨ぎ前記第一半径及び前記第二半径を跨がない円弧状の第二照射領域が前記集光光学系の光軸を通過する際に前記励起光光源を点灯させ、前記第一半径を周方向に跨ぎ前記第三半径及び前記第四半径を跨がない円弧状の第一非照射領域が前記集光光学系の光軸を通過する際と、前記第二半径を周方向に跨ぎ前記第三半径及び前記第四半径を跨がない円弧状の第一非照射領域が前記集光光学系の光軸を通過する際に前記励起光光源を消灯させることを特徴とする点滅光発生装置。
＜請求項９＞
請求項１から８の何れか一項に記載の点滅光発生装置と、
前記蛍光体層から発する蛍光の色と異なる色の光を発する第一光源と、
前記蛍光体層から発する蛍光の色及び前記第一光源の発光色と異なる色の光を発する第二光源と、
前記蛍光体層から発した蛍光の光軸と、前記第一光源から発した光の光軸と、前記第二光源から発した光の光軸とを重ねて、これらの光を出射させる光学系と、を備え、
前記光源制御部が、前記励起光光源、前記第一光源及び前記第二光源を時分割で順次点灯させることを特徴とする時分割光発生装置。
＜請求項１０＞
請求項９に記載の時分割光発生装置と、
前記光学系から出射された光を各画素毎に変調することで、画像を形成する表示素子と、
前記表示素子によって形成された画像を投影する投影光学系と、を備えることを特徴とするプロジェクタ。
【符号の説明】
【００８６】
１  点滅光発生装置
２  蛍光体ホイール
３  ホイール板
３ａ  一方の面
３ｂ  他方の面
３ｄ１、３ｇ１、３ｊ１、３ｒ１  第一半径
３ｄ２、３ｇ２、３ｊ２、３ｒ２  第二半径
３ｄ３、３ｇ３、３ｊ３、３ｒ３  第三半径
３ｄ４、３ｇ４、３ｊ４、３ｒ４  第四半径
４  蛍光体層
４ａ、４ｃ、４ｅ、４ｇ  照射領域
４ａ１、４ｃ１、４ｅ１、４ｇ１  第一照射領域
４ａ２、４ｃ２、４ｅ２、４ｇ２  第二照射領域
４ｂ、４ｄ、４ｆ、４ｈ  非照射領域
４ｂ１、４ｄ１、４ｆ１、４ｈ１  第一非照射領域
４ｂ２、４ｄ２、４ｆ２、４ｈ２  第二非照射領域
６  スピンドルモーター（回転駆動器）
８  励起光光源
９  集光光学系
１０  光源制御部
１１  位相センサー（位相検出部）
４０  表示素子
５０  時分割光発生装置
７０  光学系
９０  投影光学系
１００  プロジェクタ
【図１】
0005811754.tif 000002
【図２】
0005811754.tif 000003
【図３】
0005811754.tif 000004
【図４】
0005811754.tif 000005
【図５】
0005811754.tif 000006
【図６】
0005811754.tif 000007
【図７】
0005811754.tif 000008
【図８】
0005811754.tif 000009
【図９】
0005811754.tif 000010
【図１０】
0005811754.tif 000011
【図１１】
0005811754.tif 000012
【図１２】
0005811754.tif 000013
【図１３】
0005811754.tif 000014